(57)【特許請求の範囲】
【請求項１】
家屋等の開口口を区画する枠体に対して回転可能に配設された扉体を閉止する扉体閉止装置であって、前記枠体又は扉体の一方に装置本体を取り付け、また、他方に前記扉体が閉成方向に回転を開始してから所定の閉成角に達した時に前記装置本体に係合する被ガイド部材を取り付け、前記装置本体には、その回転軸が回転可能に支持され、前記係合した被ガイド部材の、前記扉体の閉成に伴う移動を可能にするガイド部を備えたアームと、前記係合前は前記アームに、当該アームを前記被ガイド部材との係合が可能な前記所定閉成角に適応した角度位置に保持する付勢力を与える一方、前記係合後は前記アームに、当該アームを前記扉体の閉成方向に回転する付勢力を与えるスプリングとを備え、前記ガイド部は、前記アームの上下面に形成され、前記アームの、前記ガイド部が設けられた部位は、前記装置本体が前記枠体又は扉体に取り付けられたときの当該装置本体の上面側及び下面側から等距離に位置するところより水平方向に突出されてなることを特徴とする扉体閉止装置。
【請求項２】
前記アームは、前記扉体が閉成するときの当該アームの回転方向に湾曲されてなることを特徴とする請求項１に記載の扉体閉止装置。
【発明の詳細な説明】
【技術分野】
【０００１】
本発明は、家屋等に配設された扉体の開閉に際して、当該扉体を自動的に閉止させるための扉体閉止装置に関するものである。
【背景技術】
【０００２】
家屋等の開口口を区画する枠体に対して回転可能に配設された扉体を、当該扉体の閉止直前に減速して静かに閉止させるようにした扉体閉止装置は、従来から存在する（特許文献１）。
このような自動閉扉装置（扉体閉止装置）は、図７に示すように、扉にハウジング１００が固定される一方、上框に、下記ローラ１１２が係脱するガイド溝１０１ａを有するブラケット１０１が固定されるもので、このうちのハウジング１００には、作動油が充填されたシリンダ１０２が形成されており、このシリンダ１０２には、スプリング１０３により弾発付勢されるピストン１０４が内装され、このピストン１０４のヘッドに逆止弁１０５及び通油孔１０６が設けられ、このピストン１０４の略中間部に形成された長孔１０７の内壁面にラック１０８が設けられている。また、ハウジング１００には、ラック１０８と噛合するピニオン１０９を軸着したピニオン軸１１０が長孔１０７を貫通した状態で軸支され、ピニオン軸１１０の突出端にアーム１１１の基端が固定され、また、アーム１１１の先端にローラ１１２が軸着されている。ところで、ピニオン１０９は、１枚のピニオン歯１０９ａとその左右に一対の突部をそれぞれ突設するとともに、その他の部位を欠歯にして形成される一方、ラック１０８の最終歯１０８ａは一側に欠肉部を設けてあり、開扉時にピニオン１０９の突部とラック１０８の欠肉部とが摩擦係合してスプリング１０３が圧縮された状態でアーム１１１が所定回動角度に保持される。このような開扉状態から扉を閉止方向に回転していくと、扉側のローラ１１２がブラケット１０１のガイド溝１０１ａに係合するとともに、上記突部と上記欠肉部との摩擦係合が解除され、圧縮されていたスプリング１０３が伸張してピストン１０４が移動する。このピストン１０４の移動によりラック１０８と噛合するピニオン１０９が回転するのでアーム１１１が回転し、このアーム１１１のローラ１１２がガイド溝１０１ａに沿って転動して扉が閉止される。そして、このピストン１０４の移動に際し、シリンダ１０２内の作動油がピストン１０４の移動を減速するように作用するので、扉が緩やかに閉止されるようになる。
【０００３】
しかしながら、上述した自動閉扉装置は、ローラ１１２側のハウジング１００とこのローラ１１２が係脱するブラケット１０１とがそれぞれ別々に取り付けられる構造である点において取り付け作業の容易化が図られているが、右開き扉及び左開き扉の区別なく両方に用いることが容易にできない構造となっている。即ち、上記自動閉扉装置は、扉に固定されたハウジング１００にピニオン軸１１０が軸支され、このピニオン軸１１０の、ハウジング１００からの突出端にアーム１１１の基端が固定されるとともに、このアーム１１１の先端にローラ１１２が軸着される一方、このローラ１１２が上框に固定されたブラケット１０１のガイド溝１０１ａに係脱する構造となっており、例えば右開き扉用から左開き扉用に又は左開き扉用から右開き扉用に変更して用いる場合、少なくともアーム１１１の先端に軸着されるローラ１１２のガイド溝１０１ａを、ブラケット１０１の、当該ガイド溝１０１ａが設けられている面の反対側の面にも設ける必要があるが、この自動閉扉装置ではそのようにはなっておらず上記変更して用いることが容易にできない構造となっており、したがって、施工に際しては、施工者はあらかじめ左開き扉であればこの仕様に適した自動閉扉装置を、また、右開き扉であればこの仕様に適した自動閉扉装置をあらかじめ用意する必要があり、施工者にとって煩わしくフレキシブル性に欠けるところがある。
【特許文献１】実開昭５６−６５０７４号公報（第２〜６頁、第１〜３図）
【発明の開示】
【発明が解決しようとする課題】
【０００４】
解決しようとする問題点は、右開き扉及び左開き扉の区別なく両方に用いることができる装置構造で、施工に際しての煩わしさを解消し、フレキシブル性のある装置構造のものにする点である。
【課題を解決するための手段】
【０００５】
本発明の請求項１に係る扉体閉止装置は、家屋等の開口口を区画する枠体に対して回転可能に配設された扉体を閉止する扉体閉止装置であって、前記枠体又は扉体の一方に装置本体を取り付け、また、他方に前記扉体が閉成方向に回転を開始してから所定の閉成角に達した時に前記装置本体に係合する被ガイド部材を取り付け、前記装置本体には、その回転軸が回転可能に支持され、前記係合した被ガイド部材の、前記扉体の閉成に伴う移動を可能にするガイド部を備えたアームと、前記係合前は前記アームに、当該アームを前記被ガイド部材との係合が可能な前記所定閉成角に適応した角度位置に保持する付勢力を与える一方、前記係合後は前記アームに、当該アームを前記扉体の閉成方向に回転する付勢力を与えるスプリングとを備え、前記ガイド部は、前記アームの上下面に形成され、前記アームの、前記ガイド部が設けられた部位は、前記装置本体が前記枠体又は扉体に取り付けられたときの当該装置本体の上面側及び下面側から等距離に位置するところより水平方向に突出されているものである。
【０００６】
これにより、請求項１に係る装置は、アームの上下面にガイド部を形成して右開き扉体及び左開き扉体の区別なく両方に用いることができる装置構造であり、施工に際しての煩わしさが解消され、フレキシブル性に富む装置構造となっていることに加え、アームの、装置本体からの突出位置を特定することにより、右開き扉体及び左開き扉体の区別なく両方にそのまま用いることができるので、施工に際しての煩わしさを解消し、フレキシブル性のある装置構造のものにすることができる。
【０００７】
本発明の請求項２に係る扉体閉止装置は、前記アームを、前記扉体が閉成するときの当該アームの回転方向に湾曲させるようにしたもので、アームのガイド部に係合する被ガイド部材の相対移動軌跡に倣ってアームを湾曲させることにより、アームの角変位量と被ガイド部材の、湾曲線上の角変位量とをほぼ一致させ、被ガイド部材の相対移動を滑らかにすることができる。
【発明の効果】
【０００８】
本発明の扉体閉止装置は、アームの上下面にガイド部を形成しているため、また、アームの上下面にガイド部を形成し、且つ、アームを装置本体の上面側及び下面側から等距離に位置するところより水平方向に突出させているため、右開き扉体及び左開き扉体の区別なく両方に用いることができるようになり、施工に際しての煩わしさが解消され、フレキシブル性のある装置構造のものにすることができる。更には、アームを当該アームのガイド部に係合する被ガイド部材の相対移動軌跡に倣って湾曲させているため、被ガイド部材の相対移動を滑らかにすることができる点でも優れている。
【発明を実施するための最良の形態】
【０００９】
本発明の実施の形態に係る扉体閉止装置を図１〜６を参照して説明する。
本扉体閉止装置１は、図１に示すように、家屋等の開口口を区画する上枠体２及び縦枠体３，４のうちの縦枠体３にヒンジ５を介して回転可能に配設された扉体Ａを、当該扉体Ａの閉止直前に減速して静かに閉止させることができる装置で、本実施の形態では、扉体Ａに取り付けられる装置本体６と、上枠体２に取り付けられるブラケット（被ガイド部材）７とで構成されている。
このうちの装置本体６は、図１に示すように、扉体Ａの裏面上方で、ヒンジ５が取着された側端寄りのところに取り付けられ、また、ブラケット７は、装置本体６が取り付けられる位置に対応して、同図に示すように、上枠体２の縦枠体３寄りのところに取り付けられる。
【００１０】
上述のようにして取り付けられる装置本体６を図２を参照して、また、ブラケット７を図３を参照して説明する。
装置本体６は、当該装置本体６を扉体Ａに取り付けるための下記取付部８ａ１，８ａ２を有するケース体８と、このケース体８の下記プレート８ｂの下面側に配設される緩衝機構９と、この緩衝機構９に対し軸棒（回転軸）１０を介して回動可能に配設されるアーム１２と、ケース体８のプレート８ｂの上面側に設けられた下記ハウジング８ｃの案内突条８ｃ１，８ｃ２に沿って摺動可能に配設されるスライダ１３と、このスライダ１３に当該スライダ１３をケース体８のハウジング８ｃから突出させて当該ケース体８内に押し込む方向への付勢力を付与するスプリング１４と、ケース体８に装着されるカバー１１とから構成されている。
【００１１】
このうちケース体８は、両端に扉体Ａへの上記取付部８ａ１，８ａ２が設けられた矩形状の底板８ａと、この底板８ａの、当該底板８ａの長手方向の中心線に対し図２において上方側で、取付部８ａ１側に当該中心線に平行に立設された略半円薄板状の上記プレート８ｂと、このプレート８ｂと取付部８ａ２との間に、この底板８ａを一側面とする断面が略矩形状をなし、プレート８ｂの上面側に形成される空間に連通する態様で開口口８ｃ１が設けられてなる上記ハウジング８ｃとからなるものであり、プレート８ｂの略中央には軸棒１０が挿通する所定口径の貫通孔８ｂ１が設けられるとともに、プレート８ｂの直下面の空間には緩衝機構９が配設される。また、ハウジング８ｃの内壁で、図２において上面中央に当該ハウジング８ｃの長手方向に沿ってスライダ１３の下記案内溝１３ａ１に係合する案内突条８ｃ２が、また、図２において下面中央に当該ハウジング８ｃの長手方向に沿ってスライダ１３の案内溝（図示せず）に係合する案内突条８ｃ３がそれぞれ設けられ、案内突条８ｃ３はハウジング８ｃから突出してプレート８ｂ上の適宜位置まで延出している。
【００１２】
尚、底板８ａの取付部８ａ１，８ａ２に設けられた長孔はケース体８を扉体Ａに取り付けるための固定ネジ（図示せず）の挿通孔であり、また、各長孔間の中央に設けられた小孔は、カバー１１をケース体８に装着するための固定ネジ２０が挿通する挿通孔である。そして、プレート８ｂの下面周縁に突設されたボス８ｂ２及びこのボス８ｂ２と貫通孔８ｂ１に関し対称の位置にあるボス（図示せず）は、ケース体８に緩衝機構９が取り付けられるときの当該緩衝機構９の下記フランジ９ａ１面が当接するところであり、これらボス８ｂ２等には固定ネジ２１が螺着するためのネジ孔（図示せず）が螺刻されている。
【００１３】
緩衝機構９は、その軸芯部が中空の円筒状外枠９ａと、この外枠９ａの軸芯部に、断面が矩形状の軸棒１０が嵌挿される矩形状孔９ｂ１を有する可動リング９ｂとで構成され、可動リング９ｂは、外枠９ａに対し回動可能な所定のしまりばめで嵌合されている。尚、外枠９ａの最下部外周には、緩衝機構９をケース体８に固着するための固定ネジ２１の挿通孔が設けられた上記フランジ９ａ１が突設されている。
【００１４】
アーム１２は、支持部１５とこの支持部１５の円弧状縦板１５ａに突設されたアーム本体１６とで構成されている。そして、支持部１５には、上記円弧状縦板１５ａの上端部に略直方体状の上軸棒受け１５ｂが、また、縦板１５ａの下端部に略矩形状薄板の下軸棒受け１５ｃがアーム本体１６の突出側とは反対側にそれぞれ突設されている。これら上軸棒受け１５ｂ及び下軸棒受け１５ｃの突出端寄りのところには、軸棒１０を嵌挿するための矩形状孔１５ｂ１及び矩形状孔１５ｃ１が、同芯をなしてそれぞれ設けられている。更に、上軸棒受け１５ｂの一方の側面には、アーム１２をケース体８に装着したときに当該ケース体８に配設されるスライダ１３と係合する略三角柱状の突条部１５ｄが突設されている（図４〜６参照）。尚、上軸棒受け１５ｂは、その内部が格子状に区画された所謂ハニカム構造となっており、製造上の所謂ひけ巣防止や部品軽量化が考慮された構造となっている。
【００１５】
一方、アーム本体１６は、支持部１５の円弧状縦板１５ａに当該アーム本体１６を突設させるために設けられる直線状の短腕部１６ａと、この短腕部１６ａに連設する、本実施の形態では円弧状に湾曲した長腕部１６ｂとから構成されており、この長腕部１６ｂは、扉体Ａが閉成するときのアーム１２の回転方向に湾曲している（図４〜６参照）。そして、これら短腕部１６ａ及び長腕部１６ｂの各上下面には、ブラケット７の相対移動を可能にするガイド部が形成されており、詳細にはその上面にガイド溝（ガイド部）１６ａ１，１６ｂ１が、連続する態様で当該短腕部１６ａ及び長腕部１６ｂの長手方向の中心線に沿って形成され、長腕部１６ｂのガイド溝１６ｂ１はその突出端が開口している（但し、図２では、短腕部１６ａ及び長腕部１６ｂの下面に形成されているガイド溝は図示されていないが、図１において、ガイド溝１６ｂ１に対応するガイド溝１６ｂ２が図示されている）。尚、短腕部１６ａ及び長腕部１６ｂのガイド溝１６ａ１，１６ｂ１の両側に設けられた溝は、製造上の所謂ひけ巣防止や部品軽量化が考慮されて設けられているものである。
【００１６】
このようなアーム１２を、緩衝機構９が固着されたケース体８に軸棒１０を介して装着する場合には、アーム１２の上軸棒受け１５ｂをケース体８のプレート８ｂに載置する態様で、且つ、アーム１２の下軸棒受け１５ｃで緩衝機構９を支持する態様で、緩衝機構９の矩形状孔９ｂ１に対し上軸棒受け１５ｂの矩形状孔１５ｂ１（及び下軸棒受け１５ｃの矩形状孔１５ｃ１）が同芯をなすようにしてから軸棒１０を矩形状孔１５ｂ１等に嵌挿すればよい。このとき、アーム１２の矩形状孔１５ｂ１及び矩形状孔１５ｃ１と緩衝機構９の矩形状孔９ｂ１とが連通するように両者の位相を考慮することはもちろんである。このとき、軸棒１０の上端がプレート８ｂの上面から僅かに突出するとともに、軸棒１０の下端が下軸棒受け１５ｃの下面から僅かに突出する態様をなす。
【００１７】
スライダ１３は、一方端に閉塞端を有し他方端に開口端を有する細長な中空の略直方体形状部材であり、このスライダ１３の上面１３ａ中央には、当該スライダ１３の長手方向に沿ってケース体８のハウジング８ｃの案内突条８ｃ２に係合する案内溝１３ａ１が、また、この下面中央には、ハウジング８ｃの案内突条８ｃ３に係合する案内溝（図示せず）がそれぞれ設けられ、これら案内突条８ｃ２，８ｃ３に沿って摺動できるようになっている。また、このスライダ１３の側面１３ｂの閉塞端側に、アーム１２の突条部１５ｄと係合する突起１３ｂ１が設けられており、スライダ１３の中空内に、一方座を当該スライダ１３の閉塞端内壁とし、他方座をケース体８のハウジング８ｃの、開口口８ｃ１に対向する側の内壁面とするスプリング１４が取り付けられたときに（本実施の形態では、二つのスプリング１４が並列に取り付けられる）、このスライダ１３には、当該スライダ１３をハウジング８ｃの開口口８ｃ１から突出させてケース体８内に押し込む方向の付勢力を常に作用させ、後述するように、スライダ１３の突起１３ｂ１がアーム１２の突条部１５ｄに当接する状態にあるときに、アーム１２は、ブラケット７との係合が可能な所定閉成角に適応した角度位置に保持される付勢力を受けるようにしている（例えば、図４参照）。尚、アーム１２が扉体Ａの閉成方向に回転する付勢力を受けるときは、スライダ１３の閉塞端面をアーム１２の突条部１５ｄに当接させてスプリング１４の付勢力を受けるようにしている（例えば、図５，６参照）。
【００１８】
カバー１１は、中空の略半円柱状部１１ａと、この半円柱状部１１ａの矩形状側面を延長して形成されたような取付部１１ｂ１，１１ｂ２とで構成される略軸受の受け蓋のような形状をなす部材で、緩衝機構９や、アーム１２、スライダ１３等が配設されたケース体８に上述した固定ネジ２０で装着される。このようにしてカバー１１が装着されたケース体８、即ち、装置本体６は、当該ケース体８の取付部８ａ１，８ａ２の各長孔及びこれらの各長孔に対応して設けられたカバー１１の取付部１１ｂ１，１１ｂ２の各長孔を挿通する固定ネジにより扉体Ａに取り付けられる。また、カバー１１には、半円柱状部１１ａの側面の一部に、当該カバー１１の上面１１ｃ及び下面１１ｄから等距離のところを中心線とするスリット１１ａ１が設けられ、このスリット１１ａ１からアーム１２のアーム本体１６が水平方向に突出されている。換言すれば、アーム１２の、アーム本体１６（ガイド部が設けられた部位）は、装置本体６が扉体Ａに取り付けられたときの当該装置本体６の上面側及び下面側から等距離に位置するところより水平方向に突出されることになる。これにより、装置本体６を右開き扉体Ａに取り付けたときのブラケット７に対するアーム本体１６の上面側のガイド溝１６ａ１，１６ｂ１の位置と、装置本体６を左開き扉体に取り付けたときのブラケット７に対するアーム本体１６の下面側のガイド溝の位置とが同一となり、本装置１を右開き扉体及び左開き扉体の区別なく両方にそのまま用いることができる。
【００１９】
一方、ブラケット７は、図３に示すように、当該ブラケット７を上枠体２に取り付けるための下記取付板２５ｃを有するピン受け２５と、このピン受け２５に取り付けられるピン２６と、このピン２６に圧入されるカラー２７と、ピン受け２５に装着されるカバー２８とで構成されている。
このうちピン受け２５は、略凸形状をなす薄厚な底板２５ａと、この底板２５ａの両縁端部から末広がりにそれぞれ立設された縦板２５ｂと、これら縦板２５ｂの両先端部から互いに反対方向に底板２５ａに平行にそれぞれ突設された取付板２５ｃとで構成され、底板２５ａの凸部（図４〜６参照）にはピン２６が挿入される孔が設けられ、また、取付板２５ｃにはピン受け２５を上枠体２に取り付けるための固定ネジ（図示せず）が挿通する長孔が設けられている。
【００２０】
ピン２６は、短寸な円筒状部材で、その上端部寄りのところに鍔２６ａが形成され、また、その下端部寄りのところに溝２６ｂが凹設されている。かかるピン２６は、その上端部をピン受け２５の凸部の孔に鍔２６ａがピン受け２５の底板２５ａに当接状態になるまで挿入しカシメて取り付けられる。
カラー２７は、樹脂製の中空の円筒状部材で、その下端部寄りの内壁にピン２６の溝２６ｂに嵌合する突起（図示せず）が設けられている。かかるカラー２７は、その上端がピン２６の鍔２６ａに当接され、その突起がピン２６の溝２６ｂに嵌合される状態にして圧入される。尚、かかるカラー２７は、ピン２６に圧入して取り付けられる構成を採らずに、ピン２６に回動自在に取り付けられる構成を採ってもよい。
【００２１】
カバー２８は、有底で中空の略矩形状筒体２８ａと、この筒体２８ａの上端の両長辺、及びこの両長辺がそれぞれ延出して当該筒体２８ａの長手方向に形成される鍔の周縁に立設される枠体２８ｂとで構成され、枠体２８ｂの一部は、カラー２７が圧入されたピン２６との干渉防止のため切り欠かれている。このようなカバー２８は、カラー２７の圧入されたピン２６が装着されたピン受け２５を上枠体２に固定ネジ（図示せず）で取り付けた後、当該カバー２８の枠体２８ｂをピン受け２５の取付板２５ｃに嵌め込むことによりピン受け２５に装着される。
尚、このようにしてカバー２８が装着されたピン受け２５、即ち、ブラケット７の上枠体２への取り付けに際しては、ブラケット７は、カラー２７の圧入されたピン２６がカバー２８から突出する態様で、例えば図１に示すように、下方を向くようにして取り付けられる。
【００２２】
次に、本扉体閉止装置１の動作のしかたを図４〜６を参照して説明する。
ここで、本扉体閉止装置１の動作のしかたを説明する前に、装置本体６自体の組み付けを図２で、ブラケット７自体の組み付けを図３で簡単に説明する。装置本体６については、ケース体８のプレート８ｂの直下面の空間に緩衝機構９を配設してから固定ネジ２１で緩衝機構９をケース体８に固定する。かかる固定に際しては、緩衝機構９の矩形状孔９ｂ１をケース体８に対し、例えば図６に示すような向きになるように治具等であわせる。そして、スライダ１３をケース体８のハウジング８ｃに配設すべく、スライダ１３の中空内に二つのスプリング１４を配設した状態で当該スライダ１３の案内溝１３ａ１等をケース体８のハウジング８ｃの案内突条８ｃ２等に係合させる。すると、このスライダ１３には、当該スライダ１３をハウジング８ｃの開口口８ｃ１から突出させてケース体８内に押し込む方向の付勢力が作用するので、例えば図６のように、このスライダ１３の閉塞端面をアーム１２の突条部１５ｄに当接させ当該スライダ１３にハウジング８ｃ内に押し戻す方向の力を加えつつ、アーム１２を、緩衝機構９が固着されたケース体８に軸棒１０を介して装着する。即ち、アーム１２の上軸棒受け１５ｂをケース体８のプレート８ｂに載置する態様で、且つ、アーム１２の下軸棒受け１５ｃで緩衝機構９を支持する態様で、緩衝機構９の矩形状孔９ｂ１に対し上軸棒受け１５ｂの矩形状孔１５ｂ１（及び下軸棒受け１５ｃの矩形状孔１５ｃ１）が同芯をなすようにしてから軸棒１０を矩形状孔１５ｂ１等に嵌挿する。そして、緩衝機構９の可動リング９ｂとアーム１２とが軸棒１０と共に一体で回動するようにする。尚、アーム１２とスライダ１３とが、例えば図４や図５のような相対位置関係にあるときでも、軸棒１０をアーム１２の矩形状孔１５ｂ１等に嵌挿して当該アーム１２をケース体８に装着することができることはもちろんである。最後に、アーム１２を適宜な角度に回転させた状態で、カバー１１をケース体８に固定ネジ２０で装着する。このとき、アーム１２のアーム本体１６はカバー１１のスリット１１ａ１から突出されている。このようにして組み付けられた装置本体６を扉体Ａに取り付けて完了する。尚、装置本体６が扉体Ａに組み付けられたときは、アーム１２は、図４に示すようなブラケット７のピン２６との係合が可能な所定閉成角、例えば略４０゜に適応した角度位置に保持されるようにしておく。
【００２３】
一方、ブラケット７については、上述のようにしてピン２６にカラー２７を圧入しておき、このピン２６の上端部をピン受け２５の底板２５ａの孔にピン２６の鍔２６ａがピン受け２５の底板２５ａに当接状態になるまで挿入してカシメる。そして、このようなピン受け２５を上枠体２に固定ネジで取り付けた後、カバー２８を装着して完了する。
【００２４】
次に、本扉体閉止装置１の動作のしかたを図４〜６を参照して説明する。
装置本体６のアーム１２のガイド溝１６ａ１，１６ｂ１（以下、単にガイド溝１６ｂ１とする）にブラケット７のカラー２７が圧入されたピン２６（以下、単にピン２６という）が係合する前においては、図４に示すように、アーム１２の突条部１５ｄには、スプリング１４により付勢されたスライダ１３の突起１３ｂ１が当接しており、このためアーム１２は、同図中の矢印Ｐで示す反時計回り方向のモーメントを受ける一方、その支持部１５の円弧状縦板１５ａの側縁端がケース体８のボス８ｂ２あるいは緩衝機構９のフランジ９ａ１に当接し、当該ストッパ壁から時計回り方向のモーメントを受ける。したがって、アーム１２は、同図に示すようなブラケット７のピン２６との係合が可能な所定閉成角に適応した角度位置に保持されることになる。
そして、扉体Ａを同図中の矢印方向に閉成して行くと、アーム１２のガイド溝１６ｂ１にブラケット７のピン２６が係合するべく同図に示すようなガイド溝１６ｂ１の開口口がピン２６の位置に達する状態となる。
【００２５】
ガイド溝１６ｂ１にピン２６が係合した後は、扉体Ａの、図５中の矢印方向の閉成に従ってピン２６がガイド溝１６ｂ１に沿う態様で相対移動し始めると、アーム１２が同図中の矢印Ｑで示す時計回り方向に回転し始めると同時に、アーム１２の突条部１５ｄに対するスライダ１３の当接部位が、その突起１３ｂ１位置からその閉塞端面位置に変わるため、アーム１２は、同図中の矢印Ｑで示す方向のモーメントを受ける。かかるモーメントを受けてアーム１２が回転し始めるとともに扉体Ａが同図の矢印方向に自動的に回転して行き、図６のように閉止される。
しかるに、上述したアーム１２の回転に際しては、この回転速度がアーム１２の回転軸に作用する緩衝機構９により減速されるので、扉体Ａの閉成に際し当該扉体Ａの回転も減速されて緩やかになる。このため、扉体Ａが戸当り（図示せず）に勢いよく衝突して衝撃音などが発せられる不具合を生ずることもなく静粛に閉止される。
そして、扉体Ａの閉成後に、当該扉体Ａを図６中の矢印方向に開成して行くと、ブラケット７のピン２６がアーム１２のガイド溝１６ｂ１に沿って相対移動する一方、アーム１２は、スプリング１４の付勢力に抗しつつ同図中の矢印方向に回転して行き、図４に示す状態になったところで当該アーム１２のガイド溝１６ｂ１とブラケット７のピン２６との係合が外れるが、この外れた位置で上述のようにして所定閉成角に適応した角度位置に保持される。
【００２６】
ところで、本装置１では、アーム１２のガイド溝１６ｂ１に係合するブラケット７のピン２６の相対移動軌跡に倣ってガイド溝１６ｂ１を円弧状に湾曲させてあり、このため、アーム１２の角変位量とピン２６の、湾曲線上の角変位量とをほぼ一致させ、ピン２６の相対移動を滑らかにさせることができる。このことから、緩衝機構９による緩衝効果について言えば、ピン２６の相対移動に伴って回転するアーム１２の回転動作が滑らかになるので、アーム１２の全角変位域に渡って緩衝の効きが均等に作用するようになる。
【００２７】
本実施の形態では、緩衝機構として、緩衝機構９のような外枠９ａと可動リング９ｂとで構成されるものについて説明したが、例えば、外枠９ａ内に適宜な数の円板を層状に重ね合わせ、各円板間に粘性流体を充填したようなものであってもよい。
【００２８】
ところで、上述した本願の目的のうちアームと被ガイド部材の相対移動を滑らかにすることができることを主な目的とする場合には、本願の扉体閉止装置を、例えば、家屋等の開口口を区画する枠体に対して回転可能に配設された扉体を閉止する扉体閉止装置であって、前記枠体又は扉体の一方に装置本体を取り付け、また、他方に前記扉体が閉成方向に回転を開始してから所定の閉成角に達した時に前記装置本体に係合する被ガイド部材を取り付け、前記装置本体には、その回転軸が回転可能に支持され、前記係合した被ガイド部材の、前記扉体の閉成に伴う移動を可能にするガイド部を備えたアームと、前記係合前は前記アームに、当該アームを前記被ガイド部材との係合が可能な前記所定閉成角に適応した角度位置に保持する付勢力を与える一方、前記係合後は前記アームに、当該アームを前記扉体の閉成方向に回転する付勢力を与えるスプリングとを備え、前記アームは、前記被ガイド部材との係合が可能な所定閉成角に保持した状態で当該アームの、前記扉体が閉成するときの回転方向に湾曲される、構成に係るものにすることができる。
【産業上の利用可能性】
【００２９】
本発明の扉体閉止装置は、アームの上下面にガイド部を形成して右開き扉体及び左開き扉体の区別なく両方に用いることができる装置構造であり、施工に際しての煩わしさが解消され、フレキシブル性に富む装置構造となっている点で、また、アームのガイド部に係合する被ガイド部材の相対移動軌跡に倣ってアームを湾曲させ、被ガイド部材の相対移動を滑らかにしている点で、この種の装置として広く一般的に利用されるものと言える。
【図面の簡単な説明】
【００３０】
【図１】本発明の実施の形態に係る扉体閉止装置の取付状態を示す図である。
【図２】図１の扉体閉止装置の装置本体の分解斜視図である。
【図３】図１の扉体閉止装置のブラケットの分解斜視図である。
【図４】図１の扉体閉止装置の動作説明図である。
【図５】図１の扉体閉止装置の動作説明図である。
【図６】図１の扉体閉止装置の動作説明図である。
【図７】従来の自動閉扉装置の構成図である。
【符号の説明】
【００３１】
１                    扉体閉止装置
２                    上枠体（枠体）
６                    装置本体
７                    ブラケット（被ガイド部材）
９                    緩衝機構
１０                  軸棒（回転軸）
１２                  アーム
１４                  スプリング
１５ｄ                突条部（アームの）
１６ａ１，１６ｂ１        ガイド溝（アームの）
Ａ                    扉体
【図１】
0004796816.tif 000002
【図２】
0004796816.tif 000003
【図３】
0004796816.tif 000004
【図４】
0004796816.tif 000005
【図５】
0004796816.tif 000006
【図６】
0004796816.tif 000007
【図７】
0004796816.tif 000008